(57)【特許請求の範囲】
【請求項１】
アクセスポイントデバイスを含む基本サービスセット（ＢＳＳ）内の、第１のチャネルを介して第２のデバイスと通信する第１のデバイスで、前記第１のチャネルを介した通信を停止する命令と第２のチャネルのインジケーションとを受信することと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントデバイスによって開始されるチャネル切り替えに対応する、
前記第２のデバイスが前記ＢＳＳ内にあるかどうかを判定することと、
前記第２のデバイスが前記ＢＳＳ内にあることの判定に応答して、前記第１のデバイスが、前記第２のチャネルを使用して前記アクセスポイントデバイスをバイパスする前記第１のデバイスと前記第２のデバイスとの間の通信を可能にするために前記第２のデバイスとの直接リンクを確立することと
を備え、
前記直接リンクを確立することは、前記アクセスポイントデバイスによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
【請求項２】
前記レーダー信号検出基準は、レーダー信号干渉しきい値を超える受信信号強度を含む、請求項１に記載の方法。
【請求項３】
前記第２のデバイスが前記ＢＳＳ内にあるかどうかを判定することは、直接リンクセットアップ（ＤＬＳ）ベースの発見プロシージャに従って、またはトンネリング直接リンクセットアップ（ＴＤＬＳ）ベースの発見プロシージャに従って実行される、請求項１に記載の方法。
【請求項４】
前記アクセスポイントデバイスから受信されたビーコンをモニタして、前記第２のチャネルへの前記アクセスポイントデバイスの切り替えを判定することをさらに備える、請求項１に記載の方法。
【請求項５】
前記アクセスポイントデバイスが前記第２のチャネルに切り替えた後、前記アクセスポイントデバイスを介して前記第２のデバイスにデータを送ることをさらに備える、請求項４に記載の方法。
【請求項６】
前記第２のチャネルの前記インジケーションを受信する前に前記アクセスポイントデバイスに要求を送ることと、
前記要求に対する応答を前記アクセスポイントデバイスから受信することと
をさらに備え、前記応答は、前記第２のチャネルの前記インジケーションを含む、請求項１に記載の方法。
【請求項７】
前記要求は、プローブ要求を含み、前記応答は、チャネル切り替え告知を含むプローブ応答を含み、前記命令は、前記チャネル切り替え告知内のチャネル切り替えモードインジケータに対応する、請求項６に記載の方法。
【請求項８】
前記第１のデバイスが、前記第１のチャネル上の前記干渉信号を検出することと、
前記干渉信号が前記レーダー信号検出基準を満足することの検出に応答して、前記要求を送ることとをさらに備える、請求項６に記載の方法。
【請求項９】
前記第２のチャネルを使用して前記第２のデバイスとの前記直接リンクを確立することは、前記第１のチャネルを使用する第１の直接リンクを介して前記第２のデバイスにチャネル切り替え命令を送ることを含み、前記アクセスポイントデバイスが前記第２のチャネルに切り替える前に、前記直接リンクが前記第２のチャネルを使用して確立される、請求項８に記載の方法。
【請求項１０】
前記チャネル切り替え命令は、トンネリング直接リンクセットアップ（ＴＤＬＳ）プロシージャに従って送られる、請求項９に記載の方法。
【請求項１１】
前記干渉信号が前記レーダー信号検出基準を満足することの検出に応答して、前記第２のデバイスとの前記第１の直接リンクを確立することをさらに備える、請求項９に記載の方法。
【請求項１２】
前記第２のデバイスとの前記第１の直接リンクが、前記干渉信号を検出するより前に確立される、請求項９に記載の方法。
【請求項１３】
直接リンクのチャネル切り替えエンジンを備え、前記直接リンクのチャネル切り替えエンジンは、
基本サービスセット（ＢＳＳ）のアクセスポイントデバイスから受信された、第１のチャネルを介した通信を停止する命令と第２のチャネルのインジケーションとに応答して、かつ前記第１のチャネルを使用して別のデバイスとの直接リンクが確立された後、他のデバイスが前記ＢＳＳ内にあるかどうかを判定し、
ここで、前記他のデバイスとの前記直接リンクは、前記他のデバイスとの通信と前記アクセスポイントデバイスのバイパスとを可能にし、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントデバイスによって開始されるチャネル切り替えに対応する、
前記他のデバイスが前記ＢＳＳ内にあることの判定に応答して、前記第２のチャネルを使用する前記他のデバイスとの通信を可能にするために、前記第１のチャネルから前記第２のチャネルへの前記直接リンクの切り替えを要求する
ように構成され、
前記第２のチャネルへの前記直接リンクの切り替えは、前記アクセスポイントデバイスによって開始されるチャネル切り替えの完了より前に前記第１のチャネル上の非通信期間を回避することにより、前記他のデバイスとのデータ交換のためのサービス品質基準が満足されることを可能にする、
半導体デバイス。
【請求項１４】
前記直接リンクのチャネル切り替えエンジンは、メディアアクセスコントローラ内にある、請求項１３に記載の半導体デバイス。
【請求項１５】
前記メディアアクセスコントローラに結合されたワイヤレストランシーバをさらに備える、請求項１４に記載の半導体デバイス。
【請求項１６】
前記メディアアクセスコントローラに結合された処理ユニットと、前記処理ユニットに結合されたコーダ／デコーダ（コーデック）とをさらに備える、請求項１５に記載の半導体デバイス。
【請求項１７】
トランシーバに結合されたアンテナと、
直接リンクのチャネル切り替えエンジンと
を備え、前記直接リンクのチャネル切り替えエンジンは、
基本サービスセット（ＢＳＳ）のアクセスポイントデバイスから受信された、第１のチャネルを介した通信を停止する命令と第２のチャネルのインジケーションとに応答して、かつ前記第１のチャネルを使用して別のデバイスとの直接リンクが確立された後、他のデバイスが前記ＢＳＳ内にあるかどうかを判定し、
ここで、前記他のデバイスとの前記直接リンクは、前記他のデバイスとの通信と前記アクセスポイントデバイスのバイパスとを可能にし、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントデバイスによって開始されるチャネル切り替えに対応する、
前記他のデバイスが前記ＢＳＳ内にあることの判定に応答して、前記第２のチャネルを使用する前記他のデバイスとの通信を可能にするために、前記第１のチャネルから前記第２のチャネルへの前記直接リンクの切り替えを要求する
ように構成され、
前記第２のチャネルへの前記直接リンクの切り替えは、前記アクセスポイントデバイスによって開始されるチャネル切り替えの完了より前に前記第１のチャネル上の非通信期間を回避することにより、前記他のデバイスとのデータ交換のためのサービス品質基準が満足されることを可能にする、
デバイス。
【請求項１８】
前記トランシーバと前記直接リンクのチャネル切り替えエンジンとに結合された処理ユニットをさらに備える、請求項１７に記載のデバイス。
【請求項１９】
前記処理ユニットに結合されたカメラとマイクロフォンとをさらに備える、請求項１８に記載のデバイス。
【請求項２０】
プロセッサによって実行されると、前記プロセッサに、
第１のチャネルを介した通信を停止する命令と第２のチャネルのインジケーションとを受信することと、ここで、前記命令および前記インジケーションは、基本サービスセット（ＢＳＳ）のアクセスポイントデバイスから受信され、レーダー信号検出基準を満足する前記第１のチャネル上の干渉信号の検出に起因して前記ＢＳＳを前記第１のチャネルから前記第２のチャネルに切り替える、アクセスポイントデバイスによって開始されるチャネル切り替えに対応する、
他のデバイスが前記ＢＳＳ内にあるかどうかを判定することと、ここで、前記他のデバイスとの通信は、前記第１のチャネルを介する、
前記他のデバイスが前記ＢＳＳ内にあることの判定に応答して、前記第２のチャネルを使用して前記アクセスポイントデバイスをバイパスする前記他のデバイスとの通信を可能にするために、前記第２のチャネルを使用する前記他のデバイスとの直接リンクを確立することと
を行わせる命令を備え、
前記直接リンクを確立することは、前記アクセスポイントデバイスによって開始されるチャネル切り替えの完了より前に前記第１のチャネル上の非通信期間を回避することにより、前記他のデバイスとのデータ交換のためのサービス品質基準が満足されることを可能にする、非一時的コンピュータ可読媒体。
【請求項２１】
前記プロセッサに、
前記第１のチャネル上の前記干渉信号を検出することと、
前記干渉信号が前記レーダー信号検出基準を満足することの検出に応答して、要求を送ることとを行わせるように実行可能な命令をさらに備える、請求項２０に記載の非一時的コンピュータ可読媒体。
【請求項２２】
前記プロセッサに、前記第２のチャネルを使用する前記他のデバイスとの前記直接リンクを確立するために、前記第１のチャネルを使用する第１の直接リンクを介して前記他のデバイスに送られるべきチャネル切り替え命令を生成させるように実行可能な命令をさらに備え、前記直接リンクは、前記アクセスポイントデバイスが前記第２のチャネルに切り替える前に前記第２のチャネルを使用して確立される、請求項２０に記載の非一時的コンピュータ可読媒体。
【請求項２３】
前記チャネル切り替え命令は、トンネリング直接リンクセットアップ（ＴＤＬＳ）プロシージャに従って送られる、請求項２２に記載の非一時的コンピュータ可読媒体。
【請求項２４】
第１のチャネルを介した通信を停止する命令と第２のチャネルのインジケーションとを受信するための手段と、ここで、別のデバイスとの通信は、前記第１のチャネルを介し、前記命令および前記インジケーションは、基本サービスセット（ＢＳＳ）のアクセスポイントデバイスから受信され、レーダー信号検出基準を満足する前記第１のチャネル上の干渉信号の検出に起因して前記ＢＳＳを前記第１のチャネルから前記第２のチャネルに切り替える、アクセスポイントデバイスによって開始されるチャネル切り替えに対応する、
他のデバイスが前記ＢＳＳ内にあることの判定に応答して、前記第２のチャネルを使用して前記アクセスポイントデバイスをバイパスする前記他のデバイスとの通信を可能にするために、前記第２のチャネルを使用する前記他のデバイスとの直接リンクを確立するための手段と
を備え、
前記直接リンクを確立することは、前記アクセスポイントデバイスによって開始されるチャネル切り替えの完了より前に前記第１のチャネル上の非通信期間を回避することにより、前記他のデバイスとのデータ交換のためのサービス品質基準が満足されることを可能にする、装置。
【請求項２５】
前記第２のチャネルの前記インジケーションを受信する前に前記アクセスポイントデバイスに要求を送るための手段と、前記アクセスポイントデバイスから応答を受信するための手段とをさらに備え、前記応答は、前記第２のチャネルの前記インジケーションを含む、請求項２４に記載の装置。
【請求項２６】
前記要求は、プローブ要求を含み、前記応答は、チャネル切り替え告知を含むプローブ応答を含み、前記命令は、前記チャネル切り替え告知内のチャネル切り替えモードインジケータに対応する、請求項２５に記載の装置。
【請求項２７】
前記第１のチャネル上の前記干渉信号を検出するための手段と、
前記干渉信号が前記レーダー信号検出基準を満足するかどうかを検出するための手段と
を備え、要求は、前記干渉信号が前記レーダー信号検出基準を満足することの検出に応答して送られる、請求項２４に記載の装置。
【請求項２８】
基本サービスセット（ＢＳＳ）のアクセスポイントデバイスが、第１のチャネルを介した通信を停止する命令と第２のチャネルのインジケーションとを送ることと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントデバイスによって開始されるチャネル切り替えに対応する、
前記ＢＳＳ内の第１のデバイスが、前記命令と前記インジケーションとを受信することと、ここで、前記第１のデバイスは、前記第１のチャネルを介して第２のデバイスと通信する、
前記第２のデバイスが前記ＢＳＳ内にあるかどうかを判定することと、
前記第２のデバイスが前記ＢＳＳ内にあることの判定に応答して、前記第１のデバイスが、前記第２のチャネルを使用して前記アクセスポイントデバイスをバイパスする前記第１のデバイスと前記第２のデバイスとの間の通信を可能にするために、前記第２のチャネルを使用する前記第２のデバイスとの直接リンクを確立することと
を備え、
前記第２のチャネルを使用して前記直接リンクを確立することは、前記アクセスポイントデバイスによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
【請求項２９】
前記第１のデバイスが、前記第１のデバイスが前記第２のチャネルの前記インジケーションを受信する前に前記アクセスポイントデバイスに要求を送ることと、
前記アクセスポイントデバイスが、前記第２のチャネルの前記インジケーションを含む、前記要求に対する応答を送ることとをさらに備える、請求項２８に記載の方法。
【請求項３０】
前記要求は、プローブ要求を含み、前記応答は、チャネル切り替え告知を含むプローブ応答を含み、前記命令は、前記チャネル切り替え告知内のチャネル切り替えモードインジケータに対応する、請求項２９に記載の方法。
【請求項３１】
前記第１のデバイスが、前記第１のチャネル上の前記干渉信号を検出することと、
前記第１のデバイスで、前記干渉信号が前記レーダー信号検出基準を満足することの検出に応答して、前記要求を送ることとをさらに備える、請求項３０に記載の方法。
【請求項３２】
第１のチャネルを介した通信を停止する命令と、第２のチャネルのインジケーションとを送るように構成された、基本サービスセット（ＢＳＳ）のアクセスポイントデバイスと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントデバイスによって開始されるチャネル切り替えに対応する、
前記第１のチャネルを介して第２のデバイスと通信し、前記命令および前記インジケーションの受信と前記第２のデバイスが前記ＢＳＳ内にあることの判定とに応答して、前記第２のチャネルを使用して前記アクセスポイントデバイスをバイパスする第１のデバイスと前記第２のデバイスとの間の通信を可能にするために、前記第２のチャネルを使用する前記第２のデバイスとの直接リンクを確立するように構成された、前記ＢＳＳ内の前記第１のデバイスと
を備え、
前記第２のチャネルを使用して前記直接リンクを確立することは、前記アクセスポイントデバイスによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、システム。
【請求項３３】
第１のチャネルを介したフレームの送信を停止する命令を受信することと、第２のチャネルのインジケーションを受信することと、ここで、前記命令および前記インジケーションは、ワイヤレスネットワークを介してアクセスポイントデバイスから第１のデバイスで受信され、前記命令および前記インジケーションは、ネットワーク通信を前記第１のチャネルから前記第２のチャネルに切り替えるアクセスポイントデバイスによって開始されるチャネル切り替えに対応する、
前記第１のデバイスが、前記第２のチャネルを使用して前記アクセスポイントデバイスをバイパスする前記第１のデバイスと第２のデバイスとの間の通信を可能にするために、前記第２のチャネルを使用する前記第２のデバイスとの直接リンクを確立することと
を備え、
前記直接リンクを確立することは、前記アクセスポイントデバイスによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
【請求項３４】
前記第２のチャネルの前記インジケーションおよびフレームの送信を停止する前記命令は、レーダー信号干渉しきい値を超える受信信号強度を有する前記第１のチャネル上の干渉信号の検出に対応する、請求項３３に記載の方法。
【請求項３５】
ワイヤレスネットワークを介して、第１のチャネルを介したフレームの送信を停止する命令が受信された後、かつ第２のチャネルのインジケーションが受信された後、別のデバイスとの直接リンクの前記第１のチャネルから前記第２のチャネルへの切り替えを要求するように構成された直接リンクのチャネル切り替えエンジンを備え、前記命令および前記インジケーションは、ネットワーク通信を前記第１のチャネルから前記第２のチャネルに切り替えるアクセスポイントデバイスによって開始されるチャネル切り替えに対応し、前記直接リンクを切り替えることは、前記第２のチャネルを使用してアクセスポイントデバイスをバイパスする他のデバイスとの通信を可能にし、前記アクセスポイントデバイスによって開始されるチャネル切り替えの完了より前に前記第１のチャネル上の非通信期間を回避することにより、半導体デバイスと前記他のデバイスとの間のデータ交換のためのサービス品質基準が満足されることを可能にする、半導体デバイス。
【請求項３６】
前記直接リンクのチャネル切り替えエンジンは、メディアアクセスコントローラ内にある、請求項３５に記載の半導体デバイス。
【請求項３７】
前記メディアアクセスコントローラに結合されたワイヤレストランシーバをさらに備える、請求項３６に記載の半導体デバイス。
【発明の詳細な説明】
【関連出願】
【０００１】
優先権の主張
本出願は、その内容全体が参照により本明細書に明白に組み込まれる、２０１１年６月７日に出願した、米国仮出願第６１／４９４，２４５号の優先権を主張するものである。
【技術分野】
【０００２】
本開示は、一般に、ワイヤレス通信システムに関する。
【背景技術】
【０００３】
技術の進歩により、コンピューティングデバイスは、より小型でより強力になった。たとえば、現在、小型で軽量な、ユーザが容易に持ち運べるポータブルワイヤレス電話、携帯情報端末（ＰＤＡ）、およびページングデバイスなどのワイヤレスコンピューティングデバイスを含む、様々なポータブルパーソナルコンピューティングデバイスが存在する。より具体的には、携帯電話およびインターネットプロトコル（ＩＰ）電話などのポータブルワイヤレス電話は、ワイヤレスネットワークを介して音声とデータパケットとを通信することができる。多くのそのようなワイヤレス電話は、エンドユーザに拡張機能を提供するために追加デバイスを組み込んでいる。たとえば、ワイヤレス電話は、デジタルスチルカメラと、デジタルビデオカメラと、デジタルレコーダと、オーディオファイルプレーヤとを含むこともできる。
【０００４】
そのようなデバイスは、ワイヤレスワイドエリアネットワーク（ＷＬＡＮ）などのワイヤレスネットワークを介してデータを通信するように構成することができる。たとえば、多くのデバイスは、アクセスポイントを介してマルチメディアデータのワイヤレス交換を可能にする、米国電気電子学会（ＩＥＥＥ）８０２．１１規格に従って動作するように構成される。しかしながら、レーダー信号（またはパルス）が現在のチャネルで検出されたときなどに、基本サービスセット（ＢＳＳ）内のすべてのデバイスが別のチャネルに切り替えるべきであるとアクセスポイントが指定したとき、マルチメディアデータのワイヤレス交換は中断される場合がある。たとえば、デバイスは、レーダー信号検出基準を満足する現在のチャネル上の干渉信号の検出に続く非送信要件に準拠しなければならない場合がある。加えて、アクセスポイントは、デバイスが新しいチャネルに切り替わるための待ち時間を導入して、低電力モードに入っている可能性があるデバイスに、差し迫ったチャネル切り替えを通知する追加時間を提供することができる。現在のチャネル上のデータ送信の中断、および新しいチャネル上でデータ送信を再開するより前にアクセスデバイスによって課された待ち時間は、データ配信の品質に影響を及ぼす可能性がある。
【発明の概要】
【０００５】
先手を取る直接リンクチャネル切り替え（preemptive direct link channel switching）のシステムおよび方法が開示される。第１のチャネルから新しいチャネルへの来るべきチャネル切り替えのインジケーションを受信した後、第１のデバイスは、アクセスポイントが第１のチャネルから新しいチャネルに切り替える前に、新しいチャネルを使用して第２のデバイスと直接リンクを確立することができる。直接リンクを介した第１のデバイスと第２のデバイスとの間のデータ送信により、来るべきチャネル切り替えより前の第１のチャネル上の非送信期間に起因する送信での中断が回避される。
【０００６】
特定の一実施形態では、方法は、第１のチャネルを介したフレームの送信を停止する命令を受信することと、第２のチャネルのインジケーションを受信することとを含む。命令およびインジケーションは、アクセスポイントデバイスからワイヤレスネットワークを介して第１のデバイスで受信される。方法はまた、第１のデバイスが、、第２のチャネルを使用して第２のデバイスと直接リンクを確立することを含む。
【０００７】
特定の一実施形態では、半導体デバイスは、ワイヤレスネットワークを介して、第１のチャネルを介したフレームの送信を停止する命令を受信した後、かつ第２のチャネルのインジケーションを受信した後、ワイヤレスネットワークの第１のチャネルから第２のチャネルへの直接リンクの切り替えを要求するように構成された、直接リンクのチャネル切り替えエンジンを含む。
【０００８】
別の特定の実施形態では、方法は、基本サービスセット（ＢＳＳ）内の第１のデバイスで、第１のチャネルを介した通信を停止する命令と第２のチャネルのインジケーションとを受信することを含む。第１のデバイスは、第１のチャネルを介して第２のデバイスと通信する。ＢＳＳはアクセスポイントデバイスを含み、命令およびインジケーションは、レーダー信号検出基準を満足する第１のチャネル上の干渉信号の検出に起因してＢＳＳを第１のチャネルから第２のチャネルに切り替える、アクセスポイントによって開始されるチャネル切り替えに対応する。方法は、第２のデバイスがＢＳＳ内にあるかどうかを判定することと、第２のデバイスがＢＳＳ内にあることの判定に応答して、第１のデバイスが、、第２のチャネルを使用する第２のデバイスとの直接リンクを確立して、アクセスポイントデバイスをバイパスする第１のデバイスと第２のデバイスとの間の通信を可能にすることとを含む。直接リンクを確立すると、アクセスポイントによって開始されるチャネル切り替えの完了より前に第１のチャネル上の非通信期間を回避することにより、第１のデバイスと第２のデバイスとの間のデータ交換のためのサービス品質（ＱＯＳ）基準が満足されることが可能になる。
【０００９】
別の実施形態では、半導体デバイスは、基本サービスセット（ＢＳＳ）のアクセスポイントデバイスから受信された、第１のチャネルを介した通信を停止する命令と第２のチャネルのインジケーションとに応答して、かつ第１のチャネルを使用して別のデバイスとの直接リンクが確立された後、他のデバイスがＢＳＳ内にあるかどうかを判定するように構成された、直接リンクのチャネル切り替えエンジンを含む。他のデバイスとの直接リンクにより、第１のチャネルを使用し、アクセスポイントデバイスをバイパスする他のデバイスとの通信が可能になる。命令およびインジケーションは、レーダー信号検出基準を満足する第１のチャネル上の干渉信号の検出に起因してＢＳＳを第１のチャネルから第２のチャネルに切り替える、アクセスポイントによって開始されるチャネル切り替えに対応する。半導体デバイスは、他のデバイスがＢＳＳ内にあることの判定に応答して、第１のチャネルから第２のチャネルへの直接リンクの切り替えを要求して、第２のチャネルを使用し、アクセスポイントデバイスをバイパスする他のデバイスとの通信を可能にするように構成される。第２のチャネルに直接リンクを切り替えると、アクセスポイントによって開始されるチャネル切り替えの完了より前に第１のチャネル上の非通信期間を回避することにより、他のデバイスとのデータ交換のためのサービス品質（ＱＯＳ）基準が満足されることが可能になる。
【００１０】
開示された装置および方法により、アクセスポイントによって起動されるチャネル切り替えプロシージャと比較して切り替え待ち時間が短縮される、第１のチャネルから第２のチャネルへのデータストリームの切り替えが可能になる。先手を取って（preemptively）第２のチャネルに切り替えることにより、非送信期間中のデータストリームの中断を回避することができる。
【００１１】
本開示の他の態様、利点、および特徴は、以下の節である図面の簡単な説明と、発明を実施するための形態と、特許請求の範囲とを含む本出願全体を検討した後、明らかになろう。
【図面の簡単な説明】
【００１２】
【図１】先手を取る直接リンクのチャネル切り替えを実行するように構成されたワイヤレスデバイスを含む通信システムの例示的な実施形態のブロック図。
【図２】先手を取る直接リンクのチャネル切り替え方法の第１の例示的な実施形態の流れ図。
【図３】先手を取る直接リンクのチャネル切り替え方法の第２の例示的な実施形態の概略図。
【図４】先手を取る直接リンクのチャネル切り替え方法の第３の例示的な実施形態の流れ図。
【図５】先手を取る直接リンクのチャネル切り替えを実行するように構成されたワイヤレスデバイスの略図。
【発明を実施するための形態】
【００１３】
図１を参照すると、先手を取る直接リンクのチャネル切り替えを実行するように構成されたデバイスを含むシステムの特定の実施形態が描写され、全体的に１００と指定される。システム１００は、ワイヤレスネットワークを介して第２のデバイス１０４と通信している第１のデバイス１０２を含む。第３のデバイス１０６は、ワイヤレスネットワークのアクセスポイント（ＡＰ）デバイスである。
【００１４】
たとえば、システム１００は、ＩＥＥＥ８０２．１１ｎ規格などの、およそ５ギガヘルツまたはそれより高い周波数の範囲を使用するように構成された、米国電気電子学会（ＩＥＥＥ）８０２．１１規格に従う基本サービスセット（ＢＳＳ）を使用して実装することができる。第１のモバイルデバイス１０２は、ワイヤレスネットワークへのアクセス権を有する第１のステーション（ＳＴＡ１）であり得るし、第２のデバイス１０４は、ワイヤレスネットワークへのアクセス権を有する第２のステーション（ＳＴＡ２）であり得る。
【００１５】
特定の一実施形態では、アクセスポイントデバイス１０６は、アクセスポイントデバイス１０６を介した第１のデバイス１０２と第２のデバイス１０４との通信用の第１のチャネルを指定することができる。図示されたように、第１のデバイス１０２は、第１のデバイス１０２とアクセスポイントデバイス１０６との間の第１のリンク１０８と、アクセスポイントデバイス１０６と第２のデバイス１０４との間の第２のリンク１１０とを介して、第２のステーション１０４にデータをワイヤレス通信するように構成される。代替として、第１のデバイス１０２と第２のデバイス１０４は直接リンク１１２を介して通信することができ、そこでデータは、データを中継またはルーティングするアクセスポイントデバイス１０６なしに、第１のデバイス１０２から第２のデバイス１０４に送信される。
【００１６】
ワイヤレスネットワークは、５〜６ＧＨｚの範囲内の周波数などの、レーダー信号の送信用にレーダーシステムによって使用される場合もある、１つまたは複数の周波数を使用するように構成される。たとえば、デバイス１０２、１０４、および１０６は、第１のチャネルを介して通信することができる。１２０で、レーダー信号（またはパルス）は、第１のチャネルを介して送信されている干渉信号として検出される場合がある。たとえば、第１のデバイス１０２はチャネル測定を実行するように構成することができ、第１のチャネル上の干渉信号がレーダー信号干渉しきい値を超えるかどうかを検出することができる。特定の一実施形態では、レーダー信号干渉しきい値は、−６２ｄＢｍ（すなわち、１ミリワット（ｍＷ）を基準として−６２デシベル（ｄＢ））の受信信号強度に該当する場合がある。代替として、アクセスポイントデバイス１０６は、アクセスポイントデバイス１０６によるレーダー信号検出分析用に、チャネル測定を実行するか、または、チャネル測定を実行しアクセスポイントデバイス１０６に結果を提供することを他のデバイス１０２、１０４のうちの１つに指示するように構成することができる。
【００１７】
第１のチャネル内の干渉信号がレーダー信号干渉しきい値を超えたことの検出に応答して、アクセスポイントデバイス１０６は、ワイヤレスネットワークの将来の通信用に第２のチャネルを選択する。アクセスポイントデバイス１０６は、１つまたは複数のレーダーシステムによる周波数の共通使用の検出に応答してワイヤレス通信ネットワークが通信周波数を変更することを要求する規定に準拠するように、構成することができる。アクセスポイントデバイス１０６は、第２のチャネルを示す情報を第１のデバイス１０２と第２のデバイス１０４とに通信することができる。加えて、アクセスポイントデバイス１０６は、第１のチャネル上のフレームデータの送信を停止するように、デバイス１０２、１０４に命令することができ、第１のチャネルと第２のチャネルとの間の切り替えを同期するチャネル切り替え時を示すことができる。
【００１８】
チャネル切り替え時は、所定の間隔が満了した後発生する場合がある。たとえば、アクセスポイントデバイス１０６は、低電力モードに入っている可能性があるモバイルデバイスが、チャネル変更の通知を受信するのに十分な時間で低電力モードから覚醒できるように、間隔期間を設定することができる。チャネル変更用に長い間隔を選択することにより、アクセスポイントデバイス１０６が将来の通信用に第２のチャネルを選択するとき低電力モードに入っているデバイスは、チャネル切り替えより前にチャネル変更の通知を受信し、したがってそのようなデバイスがチャネル変更の間または後にネットワークから落ちることを回避する可能性が大きい。
【００１９】
アクセスポイントデバイス１０６がネットワークのワイヤレス通信を第１のチャネルから第２のチャネルに変更する前に、第１のデバイス１０２は、新しいチャネル（すなわち第２のチャネル）を使用して第２のデバイス１０４との通信を開始することができる。たとえば、第１のデバイス１０２は、アクセスポイントデバイス１０６がネットワークを第２のチャネルに切り替える前に、第２のチャネルを使用して第２のデバイス１０４との直接リンクを開始することができる。結果として、第１のデバイス１０２と第２のデバイス１０４は、第１のチャネル上のフレーム送信を停止するようにアクセスポイントデバイス１０６がデバイス１０２、１０４に命令した後、アクセスポイントデバイス１０６が第２のチャネルへの切り替えを開始する前の時間期間中、データ送信を継続することができる。したがって、第１のデバイス１０２と第２のデバイス１０４との間のデータ転送は、新しいチャネル上の直接リンク１２２を使用することにより、実質的に中断されずに継続することができる。
【００２０】
その後の時間に、アクセスポイントデバイス１０６は、１３０で、ワイヤレスネットワークを新しいチャネルに切り替える。第１のデバイス１０２と第２のデバイス１０４は、直接リンク１２２を介して通信を継続することができる。代替として、第１のデバイス１０２と第２のデバイス１０４は直接リンク１２２を破棄することができ、代わりに第１のデバイス１０２とアクセスポイントデバイス１０６との間の第１のリンク１３２と、アクセスポイントデバイス１０６と第２のデバイス１０４との間の第２のリンク１３４とを介して、第２のチャネル上で通信することができる。
【００２１】
新しいチャネルを使用して（すなわち、アクセスポイントデバイス１０６の新しいチャネルへのチャネル切り替えに先行するフレーム送信のブラックアウト（すなわち非送信）期間より前に）第１のデバイス１０２と第２のデバイス１０４との間の直接リンク１２２を、先手を取って確立することにより、第１のデバイス１０２と第２のデバイス１０４との間のデータ送信は要求されるサービス品質（ＱＯＳ）を維持することができる。たとえば、第２のデバイス１０４はテレビジョンであり得るし、第１のデバイス１０２は、中断のない再生用の指定された転送レートを有するマルチメディアデータをストリーミングするモバイル電話またはカメラであり得る。アクセスポイントデバイス１０６はフレーム送信の即時停止を命令することができ、ワイヤレスネットワークを使用し省電力モードに入っている可能性がある、すべてまたは少なくとも大部分のワイヤレスデバイスが、覚醒しチャネル切り替え情報を受信することが見込まれるまで、チャネル切り替えを遅らせるように試みることができるので、新しいチャネルへの切り替え前の遅延は重要であり得る（たとえば、１０秒の遅延は可能である）。第１のデバイス１０２によって開始される先手を取って直接リンクのチャネル切り替えることにより、新しいチャネルを介して第２のデバイス１０４へのデータ転送が継続することが可能になり、データ転送の要求されるＱＯＳが満足されることが可能になる可能性がある。
【００２２】
図２を参照すると、先手を取る直接リンクのチャネル切り替え方法の流れ図が描写され、全体的に２００と指定される。方法２００は、２０２で、第１のチャネルを介した通信を停止する命令（たとえば、フレームの送信を停止する命令）を受信することと、第２のチャネルのインジケーションを受信することとを含む。命令およびインジケーションは、ワイヤレスネットワークを介して第１のデバイスで受信される。たとえば、第１のデバイス１０２は、ワイヤレスネットワークを介してアクセスポイント１０６から命令とインジケーションとを受信することができる。
【００２３】
直接リンクは、２０４で、第２のチャネルを使用して第１のデバイスにより第２のデバイスと確立される。たとえば、直接リンクは、図２の第１のデバイス１０２と第２のデバイス１０４との間に確立された図２の直接リンク１２２であり得る。第２のチャネルを使用して第２のデバイスと直接リンクを確立することにより、第１のチャネル上の通信を停止すること（たとえば、フレームの送信を停止すること）と、アクセスポイントデバイスがワイヤレスネットワークの送信を第２のチャネルに切り替えることとの間の遅延時間は、縮小するか、または大部分回避することができる。
【００２４】
図３を参照すると、特定の実施形態による、図１の第１のデバイス１０２、アクセスポイントデバイス１０６、および第２のデバイス１０４のアクションとシグナリングとを示す略図３００が示される。３０２で、直接リンクが第１のデバイス１０２によってセットアップされる。直接リンク３０２は第１のデバイス１０２と第２のデバイス１０４との間にセットアップされ、それによりデータストリーム３０４が、第１のチャネルを介して第１のデバイス１０２から第２のデバイス１０４に直接送信されることが可能になる。
【００２５】
データストリーム３０４用の直接リンクをセットアップした後、第１のデバイス１０２は、３０６で、直接リンク３０２が確立された第１のチャネル上の干渉信号が、レーダー信号（またはパルス）検出基準を満足することを検出する場合がある。第１のデバイス１０２は、レーダー信号（またはパルス）検出基準が満足されることを検出した後、２００ミリ秒（ｍｓ）後などの所定の時間内にチャネル上の送信を停止するように構成することができる。たとえば、レーダー信号（またはパルス）検出基準は、１つまたは複数のタイプのレーダー信号（たとえば、民間航行もしくは海事用のレーダーシステム、天気レーダーシステム、または軍事用レーダーシステムによって使用されるレーダー信号）に関連する、信号強度、パルス幅、またはパルス繰返し周波数などの、１つまたは複数の信号特性に該当する場合がある。レーダー信号検出基準が満足されることの検出に応答して、第１のデバイス１０２は、３０８で、２００ｍｓの時間期間が満了する前に、アクセスポイントデバイス１０６にプローブ要求３１０を送ることができる。プローブ要求３１０を送った後、第１のデバイス１０２は、３１２で、２００ｍｓの送信時間期間の満了まで、第１のチャネル上のデータストリームの送信を継続することができる。
【００２６】
アクセスポイントデバイス１０６はプローブ要求３１０を受信し、プローブ要求３１０に応答して第１のデバイス１０２にプローブ応答３１４を送る。アクセスポイントデバイス１０６は、第１のチャネル上の干渉がレーダー信号（またはパルス）検出基準に該当することの判定に応答して、チャネル切り替え情報要素（ＩＥ）をプローブ応答３１４に挿入する。チャネル切り替えＩＥは、第２のチャネルのインジケーションを含み、チャネル切り替えカウントも示す。チャネル切り替えカウントは、第２のチャネルへの切り替え前にアクセスポイントデバイス１０６によって送信されるいくつかのビーコンのカウントを含むことができる。
【００２７】
第１のデバイス１０２は、３１６で、プローブ応答３１４とチャネル切り替えＩＥとを復号して、第２のチャネルのインジケーションとチャネル切り替えカウントとを検出する。チャネル情報を受信すると、第１のデバイス１０２は、３１８で、チャネル切り替えＩＥメッセージ内に示されたチャネル（すなわち第２のチャネル）へのチャネル切り替え命令を、第２のデバイス１０４に送る。例示のために、第１のデバイス１０２は、シグナリング情報が、直接リンクを介しアクセスポイントデバイス１０６をバイパスして、第１のデバイス１０２から第２のデバイス１０４に送信されることを可能にする、トンネル直接リンクセットアップ（ＴＤＬＳ）メッセージプロトコルを使用することができる。ＴＤＬＳでは、シグナリングフレームはデータフレーム内にカプセル化することができ、シグナリングフレームがトランスペアレントにアクセスポイントを介して送信されることが可能になる。したがって、アクセスポイントは、直接リンクを認識する必要がなく、アクセスポイントは、直接リンクで使用される機能のうちのいずれもサポートする必要がない。ＴＤＬＳはまた、ステーションが省電力モードに入ることができるように、直接リンクに留まる間ピア省電力モード（ピアＰＳＭ）に入るか、または直接リンクを介した受信を一時停止するかのいずれかのオプションを含むことができる。ＴＤＬＳは、ベースチャネル上でアクセスポイントデバイス１０６に接続されたままでいながら、「オフチャネル」動作が第１のデバイス１０２と第２のデバイス１０４の別のチャネルへのチャネル切り替えを実現することを可能にすることができる。ＴＤＬＳチャネル切り替えは、第１のデバイス１０２と第２のデバイス１０４にあるユーザアプリケーションに対してトランスペアレントであることができる。
【００２８】
第２のデバイス１０４にチャネル切り替え命令を送った後、３２０で、チャネル切り替えＩＥ内に示されたチャネル上のデータ転送が再開され、データストリーム３２２が、示されたチャネル（すなわち第２のチャネル）上の第１のデバイス１０２と第２のデバイス１０４との間の直接リンク上で送信される。
【００２９】
第１のデバイス１０２は、ビーコンを周期的に聴取することによってアクセスポイントデバイス１０６からのビーコンをモニタし、各検出されたビーコンに応答してチャネル切り替えカウントを減分する。３２４で、チャネル切り替えカウントがゼロに達したとき、第１のデバイス１０２は、第２のチャネル上でビーコン３２６を聴取する。３２８で、第２のチャネル上でビーコン３２６を受信した後、第１のデバイス１０２での通常動作が再開する。
【００３０】
たとえば、アクセスポイントデバイス１０６からビーコン３２６を受信すると、第１のデバイス１０２は、直接リンクのチャネル破棄を開始して、第２のチャネル上の第１のデバイス１０２と第２のデバイス１０４との間の直接リンクを破棄することができ、中間デバイスとしてアクセスポイントデバイス１０６を使用してデータストリーム３２２の送信を継続することができる。代替として、アクセスポイントデバイス１０６が第２のチャネルに移行した後、直接リンクは第２のチャネル上で維持される。
【００３１】
レーダー信号（またはパルス）検出基準が満足されることを検出すること、およびプローブ要求３１０を送ることにより、第１のデバイス１０２は、アクセスポイントデバイス１０６からの新しいチャネル指定を含むチャネル切り替え情報の受信を促進することができる。アクセスポイントデバイス１０６は、そうでない場合アクセスポイントデバイス１０６がチャネル切り替え情報をワイヤレスネットワーク上のデバイスにブロードキャストした可能性があるよりも前の時間に、プローブ応答３１４内のチャネル切り替え情報を送るように要求される場合がある。プローブ応答３１４内のチャネル切り替え情報を受信することにより、第１のデバイス１０２は、２００ｍｓの残りの時間の一部を有効に使用して、第２のデバイス１０４との直接リンクを使用する第２のチャネルに通信を切り替えることができる。
【００３２】
図３は、３０６で、第１のチャネル上の干渉信号がレーダー信号（またはパルス）検出基準を満足することを検出する前の直接リンクのセットアップ３０２とデータストリーム３０４とを示したが、他の実施形態では、第１のデバイス１０２は、第１のチャネル上の干渉信号がレーダー信号（またはパルス）検出基準を満足することの検出に応答して、直接リンクを確立し、データストリームを開始することができる。たとえば、第１のデバイス１０２は、第１のチャネル上の干渉信号がレーダー信号（またはパルス）検出基準を満足することを検出することができ、その検出に応答して、第１のデバイス１０２は直接リンクをセットアップし、プローブ要求３１０を送ることができる。直接リンクは第１のチャネルを使用してセットアップされ、２００ｍｓの期間が満了する前にＴＤＬＳチャネル切り替えを介して第２のチャネルに切り替わる。
【００３３】
図３は、第１のデバイス１０２と第２のデバイス１０４との間の単一のデータストリーム３０４を示したが、他の実施形態では、複数のデータストリームを様々なデバイス間で通信することができる。たとえば、複数のデータストリームは、第１のデバイス１０２と第２のデバイス１０４との間を通信することができ、最も高いサービス品質要件または最も高い優先度を有するデータストリームが、検出されたレーダー信号に起因するなどのチャネル変更イベントに応答して、第２のチャネルに切り替えられるべき最初のデータストリームになるように選択することができる。最も高い品質サービスまたはデータストリームの直接リンクチャネルを第２のチャネルに先手を取って切り替えた後、すべてのデータストリームが先手を取って切り替えられるまで、または２００ｍｓの時間期間が満了し、第１のデバイス１０２が第１のチャネル上のさらなる送信を邪魔されるまで、第１のデバイス１０２は、より低い優先度のデータストリーム用の他の直接リンクチャネルの確立および／または先手を取る切り替えを継続することができる。代替または追加として、第１のデバイス１０２は、１つまたは複数のデータストリームを１つまたは複数の追加デバイス（図示せず）に送ることができ、先手を取る直接リンクのチャネル切り替えのために、第１のデバイス１０２のすべてのデータストリームの中で最も高いＱＯＳまたは優先度を有するデータストリームを選択することができる。
【００３４】
例示的な一実施形態では、第１のチャネルは５ＧＨｚの周波数帯域内にある場合がある。レーダーシステムとの同一チャネル動作を回避し、利用可能なチャネルの均等な利用を促進するメカニズムを実装するように、５ＧＨｚで動作するデバイスに要求する規定を、５ＧＨｚ帯域に適用することができる。アクセスポイントデバイス１０６は、ＩＥＥＥ８０２．１１規格に従う動的周波数選択（ＤＦＳ）メカニズムなどの、そのようなメカニズムを実装することができる。
【００３５】
ＤＦＳサービスは以下を提供することができる。
【００３６】
ステーション（ＳＴＡ）にサポートされたチャネルに基づく、基本サービスセット（ＢＳＳ）内のアクセスポイント（ＡＰ）とのＳＴＡの関連付け。
【００３７】
現在のチャネルが他のＳＴＡからの干渉がより小さいレーダー信号の存在をテストできるような現在のチャネルの静穏化すること。
【００３８】
チャネルを使用する前、およびチャネル内で動作中にレーダー信号の存在のテストをチャネルに行うこと。
【００３９】
現在のチャネル内のレーダー信号の検出後、レーダーとの干渉を回避するために動作を中断すること。
【００４０】
規制要件に基づいて現在のチャネル内および他のチャネル内のレーダー信号を検出すること。
【００４１】
現在のチャネル内および他のチャネル内の測定の要求および報告すること。
【００４２】
レーダー信号が検出された後、ＢＳＳまたは独立ＢＳＳ（ＩＢＳＳ）の移行を支援するために新しいチャネルを選択およびアドバタイズすること。
【００４３】
ＡＰで、ＳＴＡで、レーダー信号が検出されるか、または任意のＳＴＡによりチャネル切り替えが受信されると、ＡＰは、チャネル切り替えアナウンスメントをすべての関連するＳＴＡにブロードキャストして、対象チャネルに切り替えることができる。
【００４４】
５ＧＨｚのＤＦＳ依存チャネル上で、ワイヤレスローカルエリアネットワーク（ＷＬＡＮ）ステーションは、アクセスポイントが所与のチャネル上でレーダー信号を検出した後、アクセスポイント（ＡＰ）によって検出されたチャネルとは異なるチャネルに切り替えることができる。アクセスポイントがレーダー信号を検出した第１の時間と、アクセスポイントがチャネル切り替えを完了した第２の時間との間には、ステーションで必要とされる非決定論的な待ち時間が存在する場合がある。たとえば、積極的な省電力モードに入っている（すなわち、データを受信していない）可能性があるステーションを適応させるために、アクセスポイントによるチャネル切り替えは、完了まで１０個を超えるビーコン間隔を取ることができる。
【００４５】
ＢＳＳ用の所与のチャネル上でレーダー信号が検出された（すなわち、１つまたは複数のレーダー信号（またはパルス）検出基準を満足する干渉信号がチャネル上で検出された）場合、以下のプロシージャを実行して、アクセスポイントのチャネル切り替え待ち時間中の干渉を回避することにより、ＢＳＳ内のステーション間のデータ交換のためのＱＯＳを改善または保証することができる。
【００４６】
１）現在のチャネルがＤＦＳ依存であるかどうかを判定する。
【００４７】
２）ＱＯＳデータストリームがステーションＳ１とステーションＳ２との間で確立されたかどうかを判定する（ここでＳ１とＳ２はＢＳＳ内にある）。たとえば、ＤＬＳ（ＴＤＬＳ）ベースの発見プロシージャまたは別のプロシージャを実行して、所与のステーションがＢＳＳ内にあるかどうかを判定することができる。
【００４８】
３）データストリームがステーションＳ１とステーションＳ２との間で開始される前に、ステーションＳ１とステーションＳ２との間のＤＬＳ（ＴＤＬＳ）リンクを有効にする。Ｓ１が様々なＱＯＳストリームを介して１つまたは複数の他のステーション（たとえば、Ｓ３、Ｓ４、またはＳ５）とストリーミングする場合、最も高い優先順位のトラフィックを有するステーションに優先権が与えられる。
【００４９】
４）レーダー信号が所与のチャネル上で検出され、ＱＯＳデータストリームがＢＳＳ内のステーション間で進行中の場合、送信ステーションは、ＩＥＥＥ８０２．１１ｈ規格に従って、レーダー信号が検出された後２００〜２５０ｍｓ後、別のステーションへのいかなるデータの送信も停止するように要求される可能性がある。
【００５０】
５）データストリームがすでに開始したかどうかの判定が時刻Ｔ１に行われる可能性があり、ここでＴｒａｄａｒ＜Ｔ１＜２００ｍｓであり、Ｔｒａｄａｒは、レーダー信号が検出された時刻である。
【００５１】
６）ステーションＳ１からステーションＳ２へのデータストリームがすでに開始した場合、ステーションＳ１（またはステーションＳ２）はアクセスポイントにプローブ要求フレームを送り、時間Ｔ２（Ｔ２＜２００ｍｓ）の後、アクセスポイントからプローブ応答を受信する。
【００５２】
７）ステーションＳ１（またはステーションＳ２）は、プローブ応答フレームを復号してプローブ応答内のチャネル切り替えＩＥを見いだす。たとえば、ステーションＳ１（またはステーションＳ２）は、アクセスポイントもレーダー信号を検出することができ、チャネル切り替えを準備していることを予想することができる。
【００５３】
８）ステーションＳ１（またはステーションＳ２）は、（時間Ｔ２以内に）チャネル切り替え要素ＩＥを有するスペクトル管理のアクションフレームまたはビーコンを受信することができる。
【００５４】
９）ステーションＳ１とステーションＳ２とのうちの１つまたは複数が省電力モードに入っている場合、そのステーションは、データストリームの不定期自動省電力配信（Ｕ−ＡＰＳＤ）を実行している可能性がある。
【００５５】
１０）ステーションＳ１とステーションＳ２のうちの１つまたは複数が省電力モードに入っている場合、そのステーションは、Ｔ２より短い時間内にチャネル切り替えＩＥを有するスペクトル管理のアクションフレームまたはビーコンを受信することができる。
【００５６】
１１）上記のステップ６〜１０に記載されたシーケンスが実行された後、ステーションＳ１（またはステーションＳ２）は、省電力モードに入ってアクセスポイントとの通信を一時停止することはしない。たとえば、ステーションは、ＴＤＬＳ対応のチャネル切り替え動作の前に省電力モードに入って、アクセスポイントとの通信を維持することができる。省電力モードでは、ステーションに送信されようとしているデータはバッファリングすることができ、ステーションが省電力モードから出た後、ステーションに送ることができる。しかしながら、レーダー検出に起因する送信制限のためにＢＳＳ内の任意のステーションまたはアクセスポイントからのいかなるデータも存在しないので、アクセスポイントとともに省電力モードに入ることは要求されない。
【００５７】
１２）ステーションＳ１（またはステーションＳ２）は、チャネル切り替えＩＥ内に指定されたチャネルを選択し、ピアステーションにチャネル切り替え命令を発行する。たとえば、ステーションＳ１は、ＴＤＬＳリンクを「オフチャネル」に（すなわち、チャネル切り替えＩＥ内に指定されたチャネルに）切り替える、ＴＤＬＳ固有のチャネル切り替え要求を送る。
【００５８】
１３）ステーションＳ１とステーションＳ２は、チャネル切り替えカウントがゼロ以下になるまで、ＴＤＬＳ直接リンクを使用して、このオフチャネル上でデータを交換することができる。
【００５９】
１４）チャネル切り替えカウントがゼロ以下になった後、ステーションＳ１とステーションＳ２がアクセスポイントのビーコンを受信すると、ステーションＳ１とステーションＳ２は、（たとえば、図１のリンク１３２とリンク１３４とを介して）アクセスポイントリンク上のデータ交換を再開することができる。
【００６０】
上記のステップ１〜１４に記載されたシーケンスの実行により、最も高いＱＯＳ要件を有するステーションＳ１のデータストリーム用に要求されたＱＯＳが達成されることを保証することができる。加えて、ステップ１〜１４に記載されたシーケンスの実行により、ＤＦＳ依存の５ＧＨｚ帯域チャネル上のより高いＱＯＳを要求するデータ用の決定論的な挙動を改善することができる。
【００６１】
データストリームがオフチャネル（すなわち、チャネル切り替えＩＥ内に指定されたチャネル）に切り替わり、オフチャネルを使用する直接リンクを介してデータ交換を継続するための合計待ち時間は、約７〜１０ｍｓであり得る。たとえば、ＷＬＡＮネットワーク内のチャネル切り替えの待ち時間は、約３〜５ｍｓであり得る。オフチャネル上のチャネルアクセス／媒体使用中に必要とされる待ち時間は、約２ｍｓであり得る。他の処理の待ち時間は約２〜３ｍｓであり得るし、結果として約７〜１０ｍｓの合計待ち時間になる。
【００６２】
図４を参照すると、先手を取る直接リンクのチャネル切り替えの特定の方法が描写され、４００と指定される。方法４００は、図１の第１のデバイス１０２などのワイヤレスネットワークを介したデバイス通信によって実行することができる。例示的な一実施形態では、方法４００は、図３の略図３００による第１のデバイス１０２によって実行される動作に該当する。
【００６３】
４０２で、第２のデバイスとの第１の直接リンクが第１のデバイスによって確立される。第１の直接リンクは、第１のチャネルを使用することができる。たとえば、第１の直接リンクは、図３のデータストリーム３０４用の直接リンクに該当する場合がある。４０４で、レーダー信号（またはパルス）干渉しきい値を超える受信信号強度を有する第１のチャネル上の干渉信号が、第１のデバイスによって検出される。
【００６４】
４０６で、アクセスポイントデバイスへの要求を第１のデバイスによって送ることができ、アクセスポイントデバイスからの応答を第１のデバイスで受信することができる。要求は、干渉信号がレーダー信号（またはパルス）干渉しきい値を超えたことの検出に応答して、送ることができる。応答は、第２のチャネルのインジケーションを含む。たとえば、要求は図３のプローブ要求３１０を含むことができ、応答は図３のプローブ応答３１４を含むことができる。応答はチャネル切り替え告知を含むことができ、第１のチャネルを介したフレームの送信を停止する命令を含むこともできる。たとえば、命令は、チャネル切り替え告知内の切り替えモードインジケータに対応することができる。例示のために、チャネル切り替えモード告知は、ＩＥＥＥ８０２．１１ｈ規格に従ってチャネル切り替えモードを示す値で指定されたフィールドを含むことができる。チャネル切り替えモードフィールド内の値「０」は、告知を受信するステーション上に制限がないことを示すことができ、チャネル切り替えモードフィールド内の値「１」は、スケジュールされたチャネル切り替えまで受信ステーションがさらなるフレームを送信すべきでないことを示すことができる。
【００６５】
４０８で、第１のチャネル内のフレームの送信を停止する命令と、第２のチャネルのインジケーションとを受信することができる。アクセスポイントデバイス１０６などのワイヤレスネットワークのアクセスポイントデバイスは、プローブ応答に加えて、ビーコンなどの１つまたは複数の送信を介して、命令と第２のチャネルのインジケーションとを送ることができる。第２のチャネルのインジケーション、およびフレームの送信を停止する命令は、第１のチャネル上の干渉信号がレーダー信号（またはパルス）干渉しきい値を超えたことの、アクセスポイントデバイスによる検出に対応することができる。
【００６６】
４１０で、第１のデバイスが第２のチャネルを使用して第２のデバイスとの直接リンクを確立する。たとえば、第２のチャネルを使用して第２のデバイスとの直接リンクを確立することは、第１のチャネルを使用する第１の直接リンクを介して第２のデバイスにチャネル切り替え命令を送ることを含むことができる。直接リンクは、アクセスポイントデバイスが第２のチャネルに切り替える前に、第２のチャネルを使用して確立することができる。特定の一実施形態では、チャネル切り替え命令は、トンネリング直接リンクセットアップ（ＴＤＬＳ）プロシージャに従って送られる。
【００６７】
４１２で、アクセスポイントデバイスから受信されたビーコンは、第２のチャネルへのアクセスポイントデバイスの切り替えを決定するためにモニタされる。たとえば、アクセスポイントデバイスは、アクセスポイントデバイスによってブロードキャストされるべきビーコンのカウントを指定することにより、第２のチャネルへの切り替えをスケジュールすることができる。指定された数のビーコンがアクセスポイントデバイスによって送られた後、チャネル切り替えを行うことができる。
【００６８】
４１４で、アクセスポイントデバイスが第２のチャネルに切り替えた後、データがアクセスポイントデバイスを介して第２のデバイスに送られる。たとえば、図１を参照すると、直接リンク１２２を破棄することができ、第１のデバイス１０２は、第１のリンク１３２と第２のリンク１３４とを介して第２のデバイス１０４と通信することができる。
【００６９】
方法４００は、４０２で、第１のチャネル上の干渉信号がレーダー信号（またはパルス）干渉しきい値を超えたことを検出する前に、第２のデバイスとの第１の直接リンクを確立することができると記載したが、他の実施形態では、第１のチャネル上の干渉信号がレーダー信号（またはパルス）干渉しきい値を超えたことの検出に応答して、第１の直接リンクは第２のデバイスと確立することができる。たとえば、第１のデバイス１０２は、第１のチャネル上の干渉信号がレーダー信号（またはパルス）干渉しきい値を超えたことを検出した後、第２のデバイス１０４との第１の直接リンクをセットアップすることができる。方法４００は、４１４で、アクセスポイントデバイスが第２のチャネルに切り替えた後、データがアクセスポイントデバイスを介して第２のデバイスに送られると記載したが、他の実施形態では、直接リンクは、第１のデバイスと第２のデバイスとの間の通信用に維持することができる。
【００７０】
図５を参照すると、電子デバイスの特定の例示的な一実施形態のブロック図が描写され、全体的に５００と指定される。デバイス５００は、メモリ５３２に結合された、１つまたは複数の汎用プロセッサ、１つまたは複数のデジタル信号プロセッサ（ＤＳＰ）、１つまたは複数の他のハードウェアプロセッサ、またはそれらの任意の組合せなどの処理ユニット５１０を含む。ワイヤレスローカルエリアネットワーク（ＷＬＡＮ）モジュール５８０は処理ユニット５１０に結合され、デバイス５００が直接リンクを第２のチャネルに先手を取って切り替えることを可能にするように構成される。特定の一実施形態では、デバイス５００は図１のデバイス１０２であり得るし、図３〜図５のうちの１つまたは複数に関して記載されたように動作することができる。
【００７１】
ＷＬＡＮモジュール５８０は、ワイヤレストランシーバ５８２と、レーダー検出器５８４と、メディアアクセスコントローラ（ＭＡＣ）５８６とを含む半導体デバイスであり得る。ＭＡＣ５８６は、先手を取る直接リンクのチャネル切り替えエンジン５８８を含む。先手を取る直接リンクのチャネル切り替えエンジン５８８は、図３に関して記載されたように、デバイス５００とＷＬＡＮへのアクセス権を有する別のデバイスとの間の直接リンクを切り替えるように構成することができる。たとえば、先手を取る直接リンクのチャネル切り替えエンジンは、アンテナ５４２を介してアクセスポイントに対するプローブ要求を開始し、チャネル切り替え対象チャネルを示すプローブ応答を受信し、アクセスポイントがワイヤレスネットワーク（たとえばＢＳＳ）を新しいチャネルに移行することを見越して、トンネリング直接リンクセットアップ（ＴＤＬＳ）プロトコルを介してデバイス５００と他のデバイスとの間のチャネル切り替えを通信するように構成することができる。
【００７２】
レーダー検出器５８４は、ＭＡＣ５８６に応答して、または図１のアクセスポイントデバイス１０６などのアクセスポイントデバイスからの命令に応答して、チャネル測定を実行するように構成することができる。レーダー検出器５８４は、チャネル測定の結果を分析して、チャネル測定の結果が１つまたは複数のレーダー信号（またはパルス）検出基準を満足するかどうかを判定するように、さらに構成することができる。
【００７３】
特定の一実施形態では、レーダー検出器５８４および／またはＭＡＣ５８６は、専用回路として実装することができる。他の実施形態では、レーダー検出器５８４およびＭＡＣ５８６のうちの少なくとも１つは、処理ユニット５１０にあるＤＳＰ、またはＷＬＡＮモジュール５８０内のプロセッサなどで、プロセッサによって実行されるプロセッサ可読コードとして実装することができる。プロセッサ可読コードは、メモリ５３２に、または、ＷＬＡＮモジュール５８０に統合された、もしくはＷＬＡＮモジュール５８０にアクセス可能な別のメモリに記憶された命令５９０のように、非一時的コンピュータ可読有形媒体にコンピュータ実行可能命令として記憶することができる。
【００７４】
図５はまた、処理ユニット５１０とディスプレイ５２８とに結合されたディスプレイコントローラ５２６を示す。コーダ／デコーダ（コーデック）５３４はまた、処理ユニット５１０に結合することができる。スピーカ５３６およびマイクロフォン５３８は、コーデック５３４に結合することができる。カメラ５４０は、処理ユニット５４２に結合されたカメラコントローラ５４２に結合される。
【００７５】
図５はまた、ＷＬＡＮモジュール５８０が処理ユニット５１０とワイヤレスアンテナ５４２とに結合できることを示す。特定の一実施形態では、処理ユニット５１０、ディスプレイコントローラ５２６、メモリ５３２、カメラコントローラ５４２、コーデック５３４およびＷＬＡＮモジュール５８０は、システムインパッケージまたはシステムオンチップデバイス５２２に含まれる。特定の一実施形態では、入力デバイス５３０および電源５４４は、システムオンチップデバイス５２２に結合される。さらに、特定の一実施形態では、図５に示されたように、ディスプレイ５２８、入力デバイス５３０、スピーカ５３６、マイクロフォン５３８、ワイヤレスアンテナ５４２、カメラ５４０、および電源５４４は、システムオンチップデバイス５２２の外部にある。しかしながら、ディスプレイ５２８、入力デバイス５３０、スピーカ５３６、マイクロフォン５３８、ワイヤレスアンテナ５４２、カメラ５４０、および電源５４４の各々は、インターフェースまたはコントローラなどのシステムオンチップデバイス５２２の構成要素に結合することができる。
【００７６】
図１および図５のシステムならびに図２〜図４の方法に関連して、先手を取るチャネル切り替えのシステム、デバイス、および方法が開示された。たとえば、システムは、ワイヤレスネットワークを介して、第１のチャネル内のフレームの送信を停止する命令と、第２のチャネルのインジケーションとを送るように構成された、アクセスポイントデバイスを含むことができる。システムはまた、命令とインジケーションとを受信し、第２のチャネルを使用して第２のデバイスとの直接リンクを確立するように構成された、ワイヤレスネットワーク内の第１のデバイスを含むことができる。例示のために、図１のシステム１００は、アクセスポイントデバイス１０６と第１のデバイス１０２とを含む。
【００７７】
別の例として、アクセスポイントデバイスにより、ワイヤレスネットワークを介して、第１のチャネル内のフレームの送信を停止する命令と、第２のチャネルのインジケーションとを送ることを含む方法を実行することができる。方法はまた、第１のデバイスにより命令とインジケーションとを受信することと、第１のデバイスにより第２のチャネルを使用して第２のデバイスとの直接リンクを確立することとを含むことができる。たとえば、方法は、図１のシステム１００を使用して実行することができる。
【００７８】
別の例として、装置は、第１のチャネルを介したフレームの送信を停止する命令を受信し、第２のチャネルのインジケーションを受信するための手段を含むことができる。たとえば、命令とインジケーションとを受信するための手段は、図５のＷＬＡＮモジュール５８０のトランシーバ５８２を含むことができる。命令およびインジケーションは、ワイヤレスネットワークを介してアクセスポイントデバイスから受信される。装置はまた、第２のチャネルを使用して第２のデバイスとの直接リンクを確立するための手段を含むことができる。たとえば、確立するための手段は、専用回路として実装された、図５のＷＬＡＮモジュール５８０の先手を取る直接リンクのチャネル切り替えエンジン５８８を含むことができる。別の例として、確立するための手段は、命令およびインジケーションの検出に応答して、チャネル切り替え命令メッセージを生成し、メッセージの受信者として第２のデバイスを表示し、メッセージに第２のチャネルのインジケーションを含め、トランシーバ５８２を介してメッセージの送信を開始するプロセッサ実行命令として実装された、図５のＷＬＡＮモジュール５８０の先手を取る直接リンクのチャネル切り替えエンジン５８８を含むことができる。特定の一実施形態では、メッセージを生成することは、ＩＥＥＥ８０２．１１規格のトンネリング直接リンクセットアップ（ＴＤＬＳ）プロシージャに従って、直接リンクを介した送信用のデータフレーム内にチャネル切り替え命令メッセージをカプセル化することを含むことができる。
【００７９】
本明細書で開示された実施形態に関して記載された様々な例示的な論理ブロック、構成、モジュール、回路、およびアルゴリズムステップは、電子ハードウェア、プロセッサによって実行されるコンピュータソフトウェア、または両方の組合せとして実装できることを、当業者はさらに諒解されよう。様々な例示的な構成要素、ブロック、構成、モジュール、回路、およびステップは、概してそれらの機能に関して上述された。そのような機能がハードウェアとして実装されるか、またはプロセッサ実行可能命令として実装されるかは、特定の適用例および全体的なシステムに課される設計制約に依存する。当業者は、記載された機能を特定の適用例ごとに様々な方法で実装することができるが、そのような実装の決定は、本開示の範囲からの逸脱を生じるものと解釈されるべきではない。
【００８０】
本明細書で開示された実施形態に関して記載された方法またはアルゴリズムのステップは、直接ハードウェアで、プロセッサによって実行されるソフトウェアモジュールで、またはその２つの組合せで具現化することができる。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、レジスタ、ハードディスク、リムーバブルディスク、コンパクトディスク読取り専用メモリ（ＣＤ−ＲＯＭ）、または当技術分野で知られている他の形態の非一時的記憶媒体に常駐することができる。例示的な記憶媒体は、プロセッサが記憶媒体から情報を読み取り、記憶媒体に情報を書き込むことができるように、プロセッサに結合される。代替として、記憶媒体はプロセッサに一体化される場合がある。プロセッサおよび記憶媒体は、特定用途向け集積回路（ＡＳＩＣ）に常駐することができる。ＡＳＩＣはコンピューティングデバイスまたはユーザ端末（たとえば、モバイル電話）に常駐することができる。代替として、プロセッサおよび記憶媒体は、コンピューティングデバイスまたはユーザ端末に個別構成要素として常駐することができる。
【００８１】
開示された実施形態のこれまでの説明は、当業者が開示された実施形態を作成または使用できるように提供される。これらの実施形態への様々な変更は当業者には容易に明らかになり、本明細書で規定された原理は本開示の範囲から逸脱することなく他の実施形態に適用することができる。したがって、本開示は、本明細書で開示された実施形態に限定されるものではなく、以下の特許請求の範囲によって規定される原理および新規の特徴と合致することが可能な最も広い範囲が与えられるべきものである。
以下に、本願出願の当初の特許請求の範囲に記載された発明を付記する。
［Ｃ１］
アクセスポイントデバイスを含む基本サービスセット（ＢＳＳ）内の、第１のチャネルを介して第２のデバイスと通信する第１のデバイスで、前記第１のチャネルを介した通信を停止する命令と第２のチャネルのインジケーションとを受信することと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記第２のデバイスが前記ＢＳＳ内にあるかどうかを判定することと、
前記第２のデバイスが前記ＢＳＳ内にあることの判定に応答して、前記第１のデバイスが、前記第２のチャネルを使用して前記アクセスポイントデバイスをバイパスする前記第１のデバイスと前記第２のデバイスとの間の通信を可能にするために前記第２のデバイスとの直接リンクを確立することと
を備え、
前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
［Ｃ２］
前記レーダー信号検出基準は、レーダー信号干渉しきい値を超える受信信号強度を含む、Ｃ１に記載の方法。
［Ｃ３］
前記第２のデバイスが前記ＢＳＳ内にあるかどうかを判定することは、直接リンクセットアップ（ＤＬＳ）ベースの発見プロシージャに従って、またはトンネリング直接リンクセットアップ（ＴＤＬＳ）ベースの発見プロシージャに従って実行される、Ｃ１に記載の方法。
［Ｃ４］
前記アクセスポイントデバイスから受信されたビーコンをモニタして、前記第２のチャネルへの前記アクセスポイントデバイスの切り替えを判定することをさらに備える、Ｃ１に記載の方法。
［Ｃ５］
前記アクセスポイントデバイスが前記第２のチャネルに切り替えた後、前記アクセスポイントデバイスを介して前記第２のデバイスにデータを送ることをさらに備える、Ｃ４に記載の方法。
［Ｃ６］
前記第２のチャネルの前記インジケーションを受信する前に前記アクセスポイントデバイスに要求を送ることと、
前記要求に対する応答を前記アクセスポイントデバイスから受信することと
をさらに備え、前記応答は、前記第２のチャネルの前記インジケーションを含む、Ｃ１に記載の方法。
［Ｃ７］
前記要求は、プローブ要求を含み、前記応答は、チャネル切り替え告知を含むプローブ応答を含み、前記命令は、前記チャネル切り替え告知内のチャネル切り替えモードインジケータに対応する、Ｃ６に記載の方法。
［Ｃ８］
前記第１のデバイスが、前記第１のチャネル上の前記干渉信号を検出することと、
前記干渉信号が前記レーダー信号検出基準を満足することの検出に応答して、前記要求を送ることとをさらに備える、Ｃ６に記載の方法。
［Ｃ９］
前記第２のチャネルを使用して前記第２のデバイスとの前記直接リンクを確立することは、前記第１のチャネルを使用する第１の直接リンクを介して前記第２のデバイスにチャネル切り替え命令を送ることを含み、前記アクセスポイントデバイスが前記第２のチャネルに切り替える前に、前記直接リンクが前記第２のチャネルを使用して確立される、Ｃ８に記載の方法。
［Ｃ１０］
前記チャネル切り替え命令は、トンネリング直接リンクセットアップ（ＴＤＬＳ）プロシージャに従って送られる、Ｃ９に記載の方法。
［Ｃ１１］
前記干渉信号が前記レーダー信号検出基準を満足することの検出に応答して、前記第２のデバイスとの前記第１の直接リンクを確立することをさらに備える、Ｃ９に記載の方法。
［Ｃ１２］
前記第２のデバイスとの前記第１の直接リンクが、前記干渉信号を検出するより前に確立される、Ｃ９に記載の方法。
［Ｃ１３］
直接リンクのチャネル切り替えエンジンを備え、前記直接リンクのチャネル切り替えエンジンは、
基本サービスセット（ＢＳＳ）のアクセスポイントデバイスから受信された、第１のチャネルを介した通信を停止する命令と第２のチャネルのインジケーションとに応答して、かつ前記第１のチャネルを使用して別のデバイスとの直接リンクが確立された後、他のデバイスが前記ＢＳＳ内にあるかどうかを判定し、
ここで、前記他のデバイスとの前記直接リンクは、前記他のデバイスとの通信と前記アクセスポイントデバイスのバイパスとを可能にし、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記他のデバイスが前記ＢＳＳ内にあることの判定に応答して、前記第２のチャネルを使用する前記他のデバイスとの通信を可能にするために、前記第１のチャネルから前記第２のチャネルへの前記直接リンクの切り替えを要求する
ように構成され、
前記第２のチャネルへの前記直接リンクの切り替えは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、
半導体デバイス。
［Ｃ１４］
前記直接リンクのチャネル切り替えエンジンは、メディアアクセスコントローラ内にある、Ｃ１３に記載の半導体デバイス。
［Ｃ１５］
前記メディアアクセスコントローラに結合されたワイヤレストランシーバをさらに備える、Ｃ１４に記載の半導体デバイス。
［Ｃ１６］
前記メディアアクセスコントローラに結合された処理ユニットと、前記処理ユニットに結合されたコーダ／デコーダ（コーデック）とをさらに備える、Ｃ１５に記載の半導体デバイス。
［Ｃ１７］
トランシーバに結合されたアンテナと、
直接リンクのチャネル切り替えエンジンと
を備え、前記直接リンクのチャネル切り替えエンジンは、
基本サービスセット（ＢＳＳ）のアクセスポイントデバイスから受信された、第１のチャネルを介した通信を停止する命令と第２のチャネルのインジケーションとに応答して、かつ前記第１のチャネルを使用して別のデバイスとの直接リンクが確立された後、他のデバイスが前記ＢＳＳ内にあるかどうかを判定し、
ここで、前記他のデバイスとの前記直接リンクは、前記他のデバイスとの通信と前記アクセスポイントデバイスのバイパスとを可能にし、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記他のデバイスが前記ＢＳＳ内にあることの判定に応答して、前記第２のチャネルを使用する前記他のデバイスとの通信を可能にするために、前記第１のチャネルから前記第２のチャネルへの前記直接リンクの切り替えを要求する
ように構成され、
前記第２のチャネルへの前記直接リンクの切り替えは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、
デバイス。
［Ｃ１８］
前記トランシーバと前記直接リンクのチャネル切り替えエンジンとに結合された処理ユニットをさらに備える、Ｃ１７に記載のデバイス。
［Ｃ１９］
前記処理ユニットに結合されたカメラとマイクロフォンとをさらに備える、Ｃ１８に記載のデバイス。
［Ｃ２０］
プロセッサによって実行されると、前記プロセッサに、
第１のチャネルを介した通信を停止する命令と第２のチャネルのインジケーションとを受信することと、ここで、前記命令および前記インジケーションは、基本サービスセット（ＢＳＳ）のアクセスポイントデバイスから受信され、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
別のデバイスが前記ＢＳＳ内にあるかどうかを判定することと、ここで、前記他のデバイスとの通信は、前記第１のチャネルを介する、
前記他のデバイスが前記ＢＳＳ内にあることの判定に応答して、前記第２のチャネルを使用して前記アクセスポイントデバイスをバイパスする前記他のデバイスとの通信を可能にするために、前記第２のチャネルを使用する前記他のデバイスとの直接リンクを確立することと
を行わせる命令を備え、
前記直接リンクを確立することは、前記アクセスポイントによって開始されるチャネル切り替えの完了より前に前記第１のチャネル上の非通信期間を回避することにより、前記第２のデバイスとのデータ交換のためのサービス品質基準が満足されることを可能にする、非一時的コンピュータ可読媒体。
［Ｃ２１］
前記プロセッサに、
前記第１のチャネル上の前記干渉信号を検出することと、
前記干渉信号が前記レーダー信号検出基準を満足することの検出に応答して、前記要求を送ることとを行わせるように実行可能な命令をさらに備える、Ｃ２０に記載の非一時的コンピュータ可読媒体。
［Ｃ２２］
前記プロセッサに、前記第２のチャネルを使用する前記第２のデバイスとの前記直接リンクを確立するために、前記第１のチャネルを使用する第１の直接リンクを介して前記第２のデバイスに送られるべきチャネル切り替え命令を生成させるように実行可能な命令をさらに備え、前記直接リンクは、前記アクセスポイントデバイスが前記第２のチャネルに切り替える前に前記第２のチャネルを使用して確立される、Ｃ２０に記載の非一時的コンピュータ可読媒体。
［Ｃ２３］
前記チャネル切り替え命令は、トンネリング直接リンクセットアップ（ＴＤＬＳ）プロシージャに従って送られる、Ｃ２２に記載の非一時的コンピュータ可読媒体。
［Ｃ２４］
第１のチャネルを介した通信を停止する命令と第２のチャネルのインジケーションとを受信するための手段と、ここで、別のデバイスとの通信は、前記第１のチャネルを介し、前記命令および前記インジケーションは、基本サービスセット（ＢＳＳ）のアクセスポイントデバイスから受信され、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
他のデバイスが前記ＢＳＳ内にあることの判定に応答して、前記第２のチャネルを使用して前記アクセスポイントデバイスをバイパスする前記他のデバイスとの通信を可能にするために、前記第２のチャネルを使用する前記他のデバイスとの直接リンクを確立するための手段と
を備え、
前記直接リンクを確立することは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、装置。
［Ｃ２５］
前記第２のチャネルの前記インジケーションを受信する前に前記アクセスポイントデバイスに要求を送るための手段と、前記アクセスポイントデバイスから応答を受信するための手段とをさらに備え、前記応答は、前記第２のチャネルの前記インジケーションを含む、Ｃ２４に記載の装置。
［Ｃ２６］
前記要求は、プローブ要求を含み、前記応答は、チャネル切り替え告知を含むプローブ応答を含み、前記命令は、前記チャネル切り替え告知内のチャネル切り替えモードインジケータに対応する、Ｃ２４に記載の装置。
［Ｃ２７］
前記第１のチャネル上の前記干渉信号を検出するための手段と、
前記干渉信号が前記レーダー信号検出基準を満足するかどうかを検出するための手段と
を備え、前記要求は、前記干渉信号が前記レーダー信号検出基準を満足することの検出に応答して送られる、Ｃ２４に記載の装置。
［Ｃ２８］
基本サービスセット（ＢＳＳ）のアクセスポイントデバイスが、第１のチャネルを介した通信を停止する命令と第２のチャネルのインジケーションとを送ることと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記ＢＳＳ内の第１のデバイスが、前記命令と前記インジケーションとを受信することと、ここで、前記第１のデバイスは、前記第１のチャネルを介して第２のデバイスと通信する、
前記第２のデバイスが前記ＢＳＳ内にあるかどうかを判定することと、
前記第２のデバイスが前記ＢＳＳ内にあることの判定に応答して、前記第１のデバイスが、前記第２のチャネルを使用して前記アクセスポイントをバイパスする前記第１のデバイスと前記第２のデバイスとの間の通信を可能にするために、前記第２のチャネルを使用する前記第２のデバイスとの直接リンクを確立することと
を備え、
前記第２のチャネルを使用して前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
［Ｃ２９］
前記第１のデバイスが、前記第１のデバイスが前記第２のチャネルの前記インジケーションを受信する前に前記アクセスポイントデバイスに要求を送ることと、
前記アクセスポイントデバイスが、前記第２のチャネルの前記インジケーションを含む、前記要求に対する応答を送ることとをさらに備える、Ｃ２８に記載の方法。
［Ｃ３０］
前記要求は、プローブ要求を含み、前記応答は、チャネル切り替え告知を含むプローブ応答を含み、前記命令は、前記チャネル切り替え告知内のチャネル切り替えモードインジケータに対応する、Ｃ２９に記載の方法。
［Ｃ３１］
前記第１のデバイスが、前記第１のチャネル上の前記干渉信号を検出することと、
前記第１のデバイスで、前記干渉信号が前記レーダー信号検出基準を満足することの検出に応答して、前記要求を送ることとをさらに備える、Ｃ３０に記載の方法。
［Ｃ３２］
第１のチャネルを介した通信を停止する命令と、第２のチャネルのインジケーションとを送るように構成された、基本サービスセット（ＢＳＳ）のアクセスポイントデバイスと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記第１のチャネルを介して第２のデバイスと通信し、前記命令および前記インジケーションの受信と前記第２のデバイスが前記ＢＳＳ内にあることの判定とに応答して、前記第２のチャネルを使用して前記アクセスポイントをバイパスする第１のデバイスと前記第２のデバイスとの間の通信を可能にするために、前記第２のチャネルを使用する前記第２のデバイスとの直接リンクを確立するように構成された、前記ＢＳＳ内の前記第１のデバイスと
を備え、
前記第２のチャネルを使用して前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、システム。
［Ｃ３３］
第１のチャネルを介したフレームの送信を停止する命令を受信することと、第２のチャネルのインジケーションを受信することと、ここで、前記命令および前記インジケーションは、ワイヤレスネットワークを介してアクセスポイントデバイスから第１のデバイスで受信され、前記命令および前記インジケーションは、ネットワーク通信を前記第１のチャネルから前記第２のチャネルに切り替えるアクセスポイントによって開始されるチャネル切り替えに対応する、
前記第１のデバイスが、前記第２のチャネルを使用して前記アクセスポイントをバイパスする前記第１のデバイスと第２のデバイスとの間の通信を可能にするために、前記第２のチャネルを使用する前記第２のデバイスとの直接リンクを確立することとを備える、方法。
［Ｃ３４］
前記第２のチャネルの前記インジケーションおよびフレームの送信を停止する前記命令は、レーダー信号干渉しきい値を超える受信信号強度を有する前記第１のチャネル上の干渉信号の検出に対応する、Ｃ３３に記載の方法。
［Ｃ３５］
ワイヤレスネットワークを介して、第１のチャネルを介したフレームの送信を停止する命令が受信された後、かつ第２のチャネルのインジケーションが受信された後、別のデバイスとの直接リンクの前記第１のチャネルから前記第２のチャネルへの切り替えを要求するように構成された直接リンクのチャネル切り替えエンジンを備え、前記命令および前記インジケーションは、ネットワーク通信を前記第１のチャネルから前記第２のチャネルに切り替えるアクセスポイントによって開始されるチャネル切り替えに対応し、前記直接リンクを切り替えることは、前記第２のチャネルを使用して前記アクセスポイントデバイスをバイパスする他のデバイスとの通信を可能にする、半導体デバイス。
［Ｃ３６］
前記直接リンクのチャネル切り替えエンジンは、メディアアクセスコントローラ内にある、Ｃ３５に記載の半導体デバイス。
［Ｃ３７］
前記メディアアクセスコントローラに結合されたワイヤレストランシーバをさらに備える、Ｃ３６に記載の半導体デバイス。
【図１】
0005735177.tif 000002
【図２】
0005735177.tif 000003
【図３】
0005735177.tif 000004
【図４】
0005735177.tif 000005
【図５】
0005735177.tif 000006